(57)【特許請求の範囲】
【請求項１】
ジ−２−エチルヘキサン酸アルミニウムを主成分として含むオクチル酸アルミニウムと、揮発性炭化水素化合物及び／又は香料と、二塩基酸類、そのアルミニウム塩、多塩基酸類及びそのアルミニウム塩からなる群より選択される１種又は２種以上のゲル強度向上剤（但し、ダイマー酸を除く）とを含有することを特徴とする透明ゲル状芳香剤組成物。
【発明の詳細な説明】
【０００１】
【発明の属する技術分野】
本発明は、透明ゲル状芳香剤組成物に関する。更に詳しくは、本発明はジ−２−エチルへキサン酸アルミニウムを主成分として含有するオクチル酸アルミニウム、揮発性炭化水素化合物及び／又は香料、二塩基酸類及び多塩基酸類又はそのアルミニウム塩を含有する芳香剤組成物に関する。
【０００２】
【従来の技術】
従来、炭化水素類のゲル化剤として、金属石鹸、特にステアリン酸アルミニウム(モノ、ジ、トリ塩)及びジ−２−エチルへキサン酸アルミニウムが知られている。特に、ジ−２−エチルへキサン酸アルミニウムは、炭化水素類を透明にゲル化することが知られている(「油がかたまるくすり」、化学の領域Vol.36 No.10,p697−701(1982))。
しかし、ジ−２−エチルへキサン酸アルミニウムをゲル化剤として使用した従来のゲル状芳香剤は、非常に柔らかく流動性があるため容器が転倒した際に短時間で内容物が流出したり、また、ラメやパール化剤等の固形物を配合すると比重の重いものが経時的に沈んでしまうなどの問題がある。
【０００３】
【発明が解決しようとする課題】
本発明の目的は、ジ−２−エチルへキサン酸アルミニウムを用いた透明ゲル状芳香剤において、ゲルを固くし、流動性を抑制し、容器からのゲルの流出や比重の重いラメやパール化剤等の固形物の沈降を抑制又は防止しうる透明ゲル状芳香剤組成物を提供することにある。
【０００４】
【課題を解決するための手段】
本発明によれば、ジ−２−エチルヘキサン酸アルミニウムを主成分として含むオクチル酸アルミニウムと、揮発性炭化水素化合物及び／又は香料と、二塩基酸類、そのアルミニウム塩、多塩基酸類及びそのアルミニウム塩からなる群より選択される１種又は２種以上のゲル強度向上剤（但し、ダイマー酸を除く）とを含有することを特徴とする透明ゲル状芳香剤組成物が提供される。
【０００５】
【発明の実施の形態】
以下、本発明を詳細に説明する。
本発明の透明ゲル状芳香剤組成物は、ジ−２−エチルヘキサン酸アルミニウムを主成分として含むオクチル酸アルミニウムと、揮発性炭化水素化合物及び／又は香料と、特定のゲル強度向上剤とを含有する。
【０００６】
本発明において用いる前記オクチル酸アルミニウムは、ジ−２−エチルへキサン酸アルミニウムを主成分とし、ゲル化剤等として作用するものであれば特に限定されない。通常、少量のトリ−２−エチルヘキサン酸アルミニウムを含むオクチル酸アルミニウムを好適に用いることができる。ここで、主成分とは、通常５０質量％以上を意味する。
前記オクチル酸アルミニウムの含有割合は、組成物全量に対して１〜１５質量％が好ましい。この含有割合が１質量％未満では、得られる組成物のゲル強度が不十分となる恐れがあり、１５質量％を超えると、ゲル状芳香剤が揮散した後の残量が多くなるので好ましくない。
【０００７】
本発明に用いることができる前記揮発性炭化水素化合物としては、テルペン系炭化水素、イソパラフィン系炭化水索、ノルマルパラフィン系炭化水素又はこれらの混合物等が挙げられる。
前記テルペン系炭化水素としては、例えば、α−ピネン、β−ピネン、ｄ−リモネン、Ｌ−リモネン、ジペンテン、ｐ−メンタン、ピナン又はこれらの混合物等が挙げられる。
前記ノルマルパラフィン系炭化水素又はイソパラフィン系炭化水素としては、Ｃ8Ｈ18〜Ｃ18Ｈ38、好ましくはＣ10Ｈ22〜Ｃ16Ｈ34のものが挙げられる。
本発明に用いる前記香料としては、特に限定されず、どのような香りを賦香するものであっても使用できる。
前記揮発性炭化水素化合物及び／又は香料の含有割合は、特に限定されないが、組成物全量に対して、通常、０．１〜９９質量％程度である。
【０００８】
本発明に用いる前記特定のゲル強度向上剤は、二塩基酸類、そのアルミニウム塩、多塩基酸類及びそのアルミニウム塩からなる群より選択される１種又は２種以上を必須成分とする。必要に応じて他のゲル強度向上作用を示す化合物を含んでいても良い。
前記特定のゲル強度向上剤としては、例えば、アジピン酸、ピメリン酸、スべリン酸、アゼライン酸、セバシン酸、ウンデカン二酸、ドデカン二酸、ブラシル酸、カルボキシオクタデカン酸及びこれらのアルミニウム塩、またはこれらの混合物等が挙げられる。
前記特定のゲル強度向上剤の含有割合は、組成物全量に対して０．００１〜５．０質量％が望ましい。０．００１質量％未満では所望の効果を得ることができず、５．０質量％を超えるとゲル強度向上剤自体が溶解せず、ゲル化しない恐れがあるので好ましくない。
【０００９】
本発明の透明ゲル状芳香剤組成物は、必要に応じて、油溶性の消臭剤等を含んでいても良い。このような油用性消臭剤としては、例えば、ピルビン酸エステル類、メタクリル酸エステル類等が好ましく挙げられる。該油溶性の消臭剤の含有割合は、その目的等に応じて適宜選択して決定することができる。
【００１０】
本発明の透明ゲル状芳香剤組成物は、必要に応じて他の添加剤を適宜配合することができる。他の添加剤としては、例えば、ＢＨＴ等の酸化防止剤；紫外線吸収剤；エチルセルロース等の増粘剤；酸化亜鉛、酸化チタン、その他の着色顔料等の色素若しくは顔料等が挙げられる。これら他の添加剤の含有割合は、その目的等に応じて適宜選択して決定することができる。
【００１１】
本発明の透明ゲル状芳香剤組成物は、例えば、上述の必須成分、必要に応じて添加しうる他の成分を混合、撹拌し、放置することによって得ることができる。
本発明の透明ゲル状芳香剤組成物は、例えば、室内の芳香消臭剤、自動車内の芳香消臭剤、トイレ内の芳香消臭剤、下駄箱内の芳香消臭剤、台所周りの芳香消臭剤、浴室内の芳香消臭剤等として好適に用いることができるがこれらに限定されるものではない。
【００１２】
【発明の効果】
本発明の透明ゲル状芳香剤組成物は、特定のオクチル酸アルミニウムと、揮発性炭化水素化合物及び／又は香料と、特定のゲル強度向上剤とを含有するので、組成物の流動性が抑制でき、容器が転倒した際に短時間で内容物が流出したり、また、ラメやパール化剤等の比重の重い固形物を配合した際に、該固形物が経時的に沈降すること等を抑制若しくは防止することができる。
【００１３】
【実施例】
以下実施例により更に詳細に説明するが、本発明はこれらに限定されるものではない。
実施例１
ジ−２−エチルヘキサン酸アルミニウムを５０質量％以上含有するオクチル酸アルミニウム４．５ｇ、酸化防止剤０．５ｇ、紫外線吸収剤０．５ｇ、ｄ−リモネン１１ｇ、揮発性イソパラフィン７５．４ｇ、香料(スカッシュの香り)８．０ｇ及びセバシン酸０．１ｇを混合、撹拌した。続いて、１００ｇ容量のガラス瓶に５０ｇ充填して放置したところ、透明ゲル状芳香剤組成物が得られた。
このガラス瓶を横倒しにして、内容物の流出にかかる時間を測定した。結果を表１に示す。
【００１４】
実施例２
セバシン酸０．１ｇの代わりにブラシル酸０．０５ｇを用い、更に揮発性イソパラフィンの配合量を７５．４５ｇに代えた以外は、実施例１と同様にガラス瓶に充填した透明ゲル状芳香剤組成物を調製し、実施例１と同様に内容物の流出にかかる時間を測定した。結果を表１に示す。
【００１５】
実施例３
セバシン酸０．１ｇの代わりにブラシル酸０．１ｇを用いた以外は、実施例１と同様にガラス瓶に充填した透明ゲル状芳香剤組成物を調製し、実施例１と同様に内容物の流出にかかる時間を測定した。結果を表１に示す。
【００１６】
実施例４
セバシン酸０．１ｇの代わりにブラシル酸アルミニウム０．１ｇを用いた以外は、実施例１と同様にガラス瓶に充填した透明ゲル状芳香剤組成物を調製し、実施例１と同様に内容物の流出にかかる時間を測定した。結果を表１に示す。
【００１７】
比較例１
セバシン酸０．１ｇを配合せずに、揮発性イソパラフィンの配合量を７５．５ｇに代えた以外は、実施例１と同様にガラス瓶に充填した透明ゲル状芳香剤組成物を調製し、実施例１と同様に内容物の流出にかかる時間を測定した。結果を表１に示す。
【００１８】
【表１】
0004712949.tif 000002